【手続補正書】
【提出日】平成16年5月18日(2004.5.18)
【手続補正１】
【補正対象書類名】明細書
【補正対象項目名】０００２
【補正方法】変更
【補正の内容】
【０００２】
【従来の技術】
電子写真式記録技術においては、“電荷潜像 (latent charge image)”が光導電体に生ずる。この電荷潜像を、静電的に帯電されたトナーを付すことによって現像し、次いでこれを例えば、紙、繊維生地、箔またはプラスチックに転写し、そして例えば圧力、輻射線、熱または溶剤の作用により定着させる。典型的なトナーは一成分または二成分粉体トナー（一成分または二成分現像剤とも呼ばれる）であり、更に特殊なトナー、例えば磁気または液体トナー及び重合トナーも使用される（L.B. Schein,“Electrophotography and Development Physics"; Springer Series in Electrophysics 14; Springer-Verlag, 第二版, 1992) 。
【手続補正２】
【補正対象書類名】明細書
【補正対象項目名】０００７
【補正方法】変更
【補正の内容】
【０００７】
更に、実際の使用においては、着色剤が高い熱安定性及び良好な分散性を有することが重要である。着色剤をトナー樹脂に配合するための典型的な温度は、配合機 (compounder) または押出機を使用した場合には 100〜200 ℃である。それゆえ、200 ℃、または好ましくは250 ℃の熱安定性が非常に有利である。この熱安定性が長期間（約30分間）にわたって及び様々なバインダー系中で維持されることも重要である。典型的なトナーバインダーは、付加重合、重付加及び重縮合によって得られる樹脂、例えばスチレン、スチレン- アクリレート、スチレン- ブタジエン、アクリレート、ポリエステル、フェノール及びエポキシ樹脂、ポリスルホン樹脂及びポリウレタン類のそれぞれ単独または組み合せであり、またこれは、更に別の成分、例えば荷電制御剤、ワックスまたは流動助剤を含んでいてもよく、あるいはこれらの成分が後で添加されてもよい。
【手続補正３】
【補正対象書類名】明細書
【補正対象項目名】００２４
【補正方法】変更
【補正の内容】
【００２４】
粉体塗料または粉体は、噴霧装置内において、その摩擦パートナー、一般的には例えばポリテトラフルオルエチレンから作られたホースまたはスプレーパイプの電荷と反対の静電気的電荷を受け取る。上記の二つの方法を組み合わせて使用することも可能である。
使用される粉体塗料樹脂の典型的な例は、エポキシ樹脂、カルボキシル基及びヒドロキシル基を含むポリエステル樹脂類、ポリウレタン樹脂及びアクリル樹脂であり、これらは慣用の硬化剤と組み合わせて使用される。これらの樹脂の組み合わせも使用される。例えば、エポキシ樹脂は、しばしば、カルボキシル基及びヒドロキシル基を含むポリエステル樹脂類と組み合わせて使用される。エポキシ樹脂のための代表的な硬化剤成分の例は、酸無水物、イミダゾール類及びジシアンジアミド、並びにこれらの誘導体である。ヒドロキシル基を含有するポリエステル樹脂のための代表的な硬化剤成分の例は、酸無水物、ブロックドイソシアネート類、ビスアシルウレタン類、フェノール樹脂及びメラミン樹脂である。カルボキシル基を含有するポリエステル樹脂のための代表的な硬化剤成分の例は、トリグリシジルイソシアヌレート類またはエポキシ樹脂である。アクリル樹脂では、使用される代表的な硬化剤成分は、例えば、オキサゾリン類、イソシアネート類、トリグリシジルイソシアヌレート類またはジカルボン酸類である。
【手続補正４】
【補正対象書類名】明細書
【補正対象項目名】００２５
【補正方法】変更
【補正の内容】
【００２５】
不十分な帯電により生じる不都合は、とりわけ、ポリエステル樹脂、特にカルボキシル基含有ポリエステルをベースとして、またはいわゆる混合粉体（ハイブリッド粉体とも呼ばれる）をベースとして調製した、摩擦電気的にまたは動電的に噴霧された粉体及び粉体塗料の場合に見受けられる。混合粉体とは、その樹脂ベースがエポキシ樹脂とカルボキシル基含有ポリエステル樹脂の組み合わせからなる粉体塗料と解される。混合粉体は、最も一般的に実用されている粉体塗料の基体をなすものである。上記の粉体及び粉体塗料の帯電が不適切に行われると、塗装されるべき工作物上において、付着率(deposition rate) と均一付着性(throwing power)とが不十分なものとなり、これに関連して、或る環境においては、顔料の固有摩擦電気的効果も、それ自体好適な樹脂系の帯電性の損失の原因となり得ることが知られている（H-T.Macholdt, “Ladungssteuermittel als Konzept fuer die triboelektrische Aufladung ”; EPS-論文シリーズ (EPS-Schriftenreihe) “Praxis Forum, Fachbroschuere Oberflaechentechnik 27/91” 102〜111 頁; Technik + Kommunikations Verlags GmbH,  ベルリン(1991)) 。“均一付着性”という用語は、粉体または粉体塗料が、どの程度、塗装されるべき工作物、例えばその裏面、空隙、割れ目及びとりわけ内部の縁及び角に付着するかの一つの尺度である。
【手続補正５】
【補正対象書類名】明細書
【補正対象項目名】００７９
【補正方法】変更
【補正の内容】
【００７９】
以下のカラーインデックスナンバーのアジン類も好適である：C.I.ソルベントブラック５、5:1 、5:2 、７、31及び50; C.I.ピグメントブラック１、C.I.ベーシックレッド２及びC.I.ベーシックブラック１及び２。
原則的には、該新規顔料は、正及び負の荷電制御剤(CCAs)との組み合せに適している。これに関連して、所望の極性を達成するために賢明な荷電制御剤量は、電子写真用トナーまたは現像剤、粉体または粉体塗料の全重量を基準として、0.01〜20重量％、好ましくは 0.1〜５重量％である。これに関連して特に有利な点は、最大帯電値が迅速に達成されること及びその非常に良好な不変性である。良好な摩擦電気的（トナー）帯電は、高いトナー絶縁破壊抵抗（＝低い導電性）を必要とするため、該新規マゼンタ顔料の誘電特性は、良好な摩擦電気的性質に貢献する（Ku/Liepins“Electrical Properties of Polymers ”, Hanser Publishers,  ミュンヘン- ウィーン- ニューヨーク, 1987）。
【手続補正６】
【補正対象書類名】明細書
【補正対象項目名】００８６
【補正方法】変更
【補正の内容】
【００８６】
本発明に従い使用される顔料は、例えば押出しまたは混練することによって、混合物全重量を基準として、0.01〜50重量％、好ましくは 0.5〜20重量％、特に好ましくは 0.1〜5.0 重量％の濃度で、トナー、現像剤、塗料、粉体塗料、エレクトレット材料各々のバインダーまたは静電的に分離するべきポリマーのバインダーに均一に配合される。これに関連して、本発明において使用される顔料は、乾燥及び粉砕した粉体として、有機または無機溶剤中の分散液または懸濁液として、フィルターケーク、マスターバッチ、調合物 (preparation)、こねたペーストとして、適当なキャリア、例えば珪藻土、TiO2、Al2O3 上に水性または非水性溶液から吸着させた化合物として、あるいは他の幾つかの形態で加えることができる。本発明で使用される顔料は、原則的には、各々のバインダーの実際の製造の間、すなわちそれらの付加重合、重付加または重縮合の間に加えることもできる。
【手続補正７】
【補正対象書類名】明細書
【補正対象項目名】００９０
【補正方法】変更
【補正の内容】
【００９０】
顔料の特性付けの関連で示す残留塩含有量は、水性顔料懸濁液の抽出物の比導電率を示し（顔料マーケッティング, ヘキストAG No.1/10(2/91)“Bestimmung der spezifischen Leitfaehigkeit am Extrakt einer waessrigen Pigmentsuspension”[ 水性顔料懸濁液の抽出物の比導電率の測定] からの試験手順に従う）、そして対応して示されるpHは、顔料マーケッティング, ヘキストAG, 1/9(2/91) “Bestimmung des pH-Wertes am Extrakt einer waessrigen Pigmentsuspension”[ 水性顔料懸濁液の抽出物のpHの測定] からの試験手順に従い測定し、この両方の測定方法は、試験手順文書に規定される脱イオン水の代わりに二回蒸留した水を使用する。